(57)【要約】【課題】不揮発性記憶手段を有する画像形成装置において、電源オフ時、不揮発性記憶手段への書き込み時間を、簡易な構成で充分確保すること。【解決手段】  不揮発性記憶手段１０を有する画像形成装置であって、画像形成装置の電源スイッチ２がオフされたことを検出する電源オフ検出手段３、８と、電源オフ検出手段の検出結果に基づいて画像形成装置内の特定個所９の駆動を停止する駆動停止手段２６と、電源オフ検出手段の検出結果に基づいて不揮発性記憶手段１０に画像形成装置の情報を書き込む書き込み手段８と、を有する。【選択図】  図１Ａ
2006178215.tif 000002
【特許請求の範囲】
【請求項１】
不揮発性記憶手段を有する画像形成装置であって、
画像形成装置の電源スイッチがオフされたことを検出する電源オフ検出手段と、
前記電源オフ検出手段の検出結果に基づいて前記画像形成装置内の特定個所の駆動を停止する駆動停止手段と、
前記電源オフ検出手段の検出結果に基づいて前記不揮発性記憶手段に前記画像形成装置の情報を書き込む書き込み手段と、
を有することを特徴とする画像形成装置。
【請求項２】
交流電源の位相を検出する位相検出手段を更に有し、
前記電源オフ検出手段は、前記位相検出手段の検出結果に基づいて前記画像形成装置の電源スイッチがオフされたことを検出することを特徴とする請求項１に記載の画像形成装置。
【請求項３】
前記位相検出手段は、前記交流電源の電圧がゼロ付近になったことを検出することを特徴とする請求項１に記載の画像形成装置。
【請求項４】
前記駆動停止手段は、画像形成装置の特定個所の駆動を停止するため、前記画像形成装置の特定個所へ停止命令を出力する論理演算手段であることを特徴とする請求項１乃至３のいずれかに記載の画像形成装置。
【請求項５】
前記駆動停止手段は、画像形成装置の特定個所の駆動を停止するため、前記特定個所への電源の供給を遮断する電源遮断手段であることを特徴とする請求項１乃至４の何れかに記載の画像形成装置。
【請求項６】
前記画像形成装置は、着脱交換可能な消耗品ユニットを有し、前記不揮発性記憶手段は、消耗品ユニット内に設けられることを特徴とする請求項１乃至５の何れかに記載の画像形成装置。
【請求項７】
前記着脱可能な消耗品ユニットは、前記画像形成装置の現像剤を格納する現像剤容器、感光体、あるいは定着装置のうち少なくとも一つを備えたユニットであることを特徴とする請求項１乃至６の何れかに記載の画像形成装置。
【請求項８】
前記不揮発性記憶手段は、前記画像形成装置に固定配置され、前記画像形成装置の状態を記憶することを特徴とする請求項１乃至７の何れかに記載の画像形成装置。
【請求項９】
不揮発性記憶手段を有する画像形成装置の制御方法であって、
画像形成装置の電源スイッチがオフされたことを検出する電源オフ検出工程と、
前記電源オフ検出工程における電源オフの検出に基づいて画像形成装置内の特定個所の駆動を停止する駆動停止工程と、
前記電源オフ検出工程における電源オフの検出に基づいて前記不揮発性記憶手段に前記画像形成装置の情報を書き込む書き込み工程と、
を有することを特徴とする画像形成装置の制御方法。
【発明の詳細な説明】
【技術分野】
【０００１】
本発明は、画像形成装置及びその制御方法に関するものであり、特に不揮発性記憶手段を有する画像形成装置に適用可能である。
【背景技術】
【０００２】
従来から、電源をシャットダウンした場合に、その時点の設定情報などを不揮発性記憶手段に記憶してから動作を終了する画像形成装置が知られている。
【０００３】
一例を図１１に示す。図１１は従来のレーザビームプリンタの電源部を示す回路図である。
【０００４】
図１１において、１０１は商用交流電源、１０２はメインスイッチ、１０４は低圧電源である。低圧電源１０４の出力は２系統（Ｖｓ、Ｖｐ）あり、それぞれ制御部１０８と駆動部１０９に供給されている。駆動部１０９には、プリント動作を行うモータ等のアクチエータと、それらに電力を供給するドライバが含まれる。制御部１０８には、駆動部１０９及び定着電源１０５の動作を制御するＣＰＵ,ＡＳＩＣ,ＤＳＰ等の論理演算素子、プリンタ外部から供給される画像情報を変調する画像処理装置、及び変調結果をレーザ光に変換するレーザダイオードとレーザドライバが含まれる。
【０００５】
さて、従来よりレーザビームプリンタには、装置の状態を記憶するＥＥＰＲＯＭ等の不揮発性記憶手段が搭載されている。図１１では、ＥＥＰＲＯＭ１１０がこれにあたる。制御部１０８はＥＥＰＲＯＭ１１０に適宜アクセスし、装置の状態を書き込み/読み出ししている。
【０００６】
ところで、レーザビームプリンタのメインスイッチ１０２がＯＦＦされた場合、制御部１０８は、メインスイッチ１０２がＯＦＦされたことを検出し、自身の電源電圧Ｖｓが低下する前に、その時点での装置の状態をＥＥＰＲＯＭ１１０に書き込む必要がある。
【特許文献１】特開平９−３１９２６５号公報
【発明の開示】
【発明が解決しようとする課題】
【０００７】
しかしながら、上記従来例には、以下の課題があった。図１２は、従来のレーザビームプリンタの低圧電源回路１０４の詳細図である。商用交流電源１０１より供給された交流電圧は、ダイオードブリッジ１１２および一次平滑コンデンサ１１３によって整流・平滑され、トランス１１５を介してＦＥＴ１１６に供給される。ＦＥＴ１１６がスイッチングすることにより、トランス１１５の二次側にパルス電圧が誘起される。誘起されたパルス電圧は、二次整流ダイオード１１７および二次平滑コンデンサ１１８によって整流・平滑され、所定の電圧Ｖｐとなる。Ｖｐは駆動部１０９に供給される。一方でＶｐはドロップレギュレータ１１９によって所定の電圧Ｖｓに降圧され、制御部１０８やＥＥＰＲＯＭ１０に供給される。
【０００８】
さて、メインスイッチ１０２がＯＦＦされた場合、図１３に示すように、まずＶｐが低下し始め、ＶｐがＶｓの電圧値付近まで低下したところで、Ｖｓも低下し始める。メインスイッチ２をＯＦＦしてからＶｓが低下し始めるまでの時間Δｔは、一次平滑コンデンサ１１３や二次平滑コンデンサ１１８、およびコンデンサ１２０の容量が大きいほど長くなる。
【０００９】
また、駆動部１０９や制御部１０８の消費電流が大きいほど、上記コンデンサ１３/１８/２０の放電時間は短くなるから、Δｔは短くなる。よって、駆動部１０９や制御部１０８が動作しているプリント状態でメインスイッチをＯＦＦされた場合、Δｔは短くなる。
【００１０】
先に説明したとおり、メインスイッチ１０２をＯＦＦされた場合、制御部１０８は、メインスイッチがＯＦＦされたことを検出し、自身の電源電圧Ｖｓが低下する前に（即ち、Δｔの時間内に）、その時点での装置の状態をＥＥＰＲＯＭ１１０に書き込む必要がある。しかしながら、プリント状態でメインスイッチをＯＦＦされた場合、Δｔが短くなり、書き込みが間に合わないという問題があった。
【００１１】
また、上記課題を解決するために、一次平滑コンデンサ１１３や二次平滑コンデンサ１１８、およびコンデンサ１２０の容量を大きくして、Δｔの時間を引き伸ばす方法も考案されている。しかしながら、この方法では、上記コンデンサが高価になってしまうという問題があった。
【００１２】
本発明は、上記課題を解決するために考案したものであり、その目的は、不揮発性記憶手段を有する画像形成装置において、電源オフ時、不揮発性記憶手段への書き込み時間を、簡易な構成で充分確保することにある。
【課題を解決するための手段】
【００１３】
上記目的を達成するため、本発明に係る装置は、
不揮発性記憶手段を有する画像形成装置であって、
画像形成装置の電源スイッチがオフされたことを検出する電源オフ検出手段と、
前記電源オフ検出手段の検出結果に基づいて前記画像形成装置内の特定個所の駆動を停止する駆動停止手段と、
前記電源オフ検出手段の検出結果に基づいて前記不揮発性記憶手段に前記画像形成装置の情報を書き込む書き込み手段と、
を有することを特徴とする。
【００１４】
上記目的を達成するため、本発明に係る方法は、
不揮発性記憶手段を有する画像形成装置の制御方法であって、
画像形成装置の電源スイッチがオフされたことを検出する電源オフ検出工程と、
前記電源オフ検出工程における電源オフの検出に基づいて画像形成装置内の特定個所の駆動を停止する駆動停止工程と、
前記電源オフ検出工程における電源オフの検出に基づいて前記不揮発性記憶手段に前記画像形成装置の情報を書き込む書き込み工程と、
を有することを特徴とする。
【発明の効果】
【００１５】
以上説明したように、本発明によれば、不揮発性記憶手段を有する画像形成装置において、電源オフ時、不揮発性記憶手段への書き込み時間を、簡易な構成で充分確保することができる。
【発明を実施するための最良の形態】
【００１６】
以下に、図面を参照して、この発明の好適な実施形態を例示的に詳しく説明する。ただし、この実施形態に記載されている構成要素はあくまで例示であり、この発明の範囲をそれらのみに限定する趣旨のものではない。
【００１７】
（第１実施形態）
本発明に係る画像形成装置の第１実施形態として、ゼロクロス検出回路の検出結果に基づいて、メインスイッチがＯＦＦされたことを検知し、駆動部に供給される電源を遮断するレーザビームプリンタについて説明する。そのような制御により、ＥＥＰＲＯＭおよびその書き込み装置の電源電圧が低下するまでの時間を引き延ばすというものである。
【００１８】
図１Ａは、本実施形態を適用したレーザビームプリンタの電源部を示す回路図である。ここで、１は商用交流電源、２はメインスイッチ、３は交流電源の位相を検出する位相検出手段としての０度位相検出回路(以下『ゼロクロス検出回路』とする)、４は低圧電源、５は定着電源である。低圧電源４の出力は２系統（Ｖｓ、Ｖｐ）あり、それぞれ制御部８と駆動部９に供給されている。駆動部９には、プリント動作を行うモータ等のアクチエータと、それらに電力を供給するドライバが含まれる。制御部８には、駆動部９及び定着電源５の動作を制御するＣＰＵ,ＡＳＩＣ,ＤＳＰ等の論理演算素子、プリンタ外部から供給される画像情報を変調する画像処理装置、及び変調結果をレーザ光に変換するレーザダイオードとレーザドライバが含まれる。
【００１９】
定着電源５の出力電圧は、定着部６内に配置されるヒータ７に供給される。定着部６は、紙やＯＨＴ上に転写されたトナーを、熱によって融解し定着するユニットである。定着部６内には、ヒータ７と、定着部６内の温度を監視し温度情報を制御部８に供給するサーミスタが配置されている。制御部８は、サーミスタから供給される温度情報に基づいて定着電源５をＯＮ/ＯＦＦし、定着部６の温度が概略一定となるようにする。
【００２０】
また、このレーザビームプリンタには、装置の状態を記憶する不揮発性記憶手段としてのＥＥＰＲＯＭ１０が搭載されている。制御部８はＥＥＰＲＯＭ１０に適宜アクセスし、装置の状態を書き込み/読み出ししている。
クレーム
また、特定個所への電源の供給を遮断する電源遮断手段としての駆動部電源遮断装置２６が、低圧電源４の出力Ｖｐと駆動部９の間に設けられ、制御部８から供給される遮断信号ｖｐｏｆｆによって制御される。Ｖｐｏｆｆ信号がＬレベルの場合、駆動部電源遮断装置２６はＶｐを駆動部９に供給する。一方、ｖｐｏｆｆ信号がＨレベルの場合、Ｖｐを遮断する。
【００２１】
図１Ｂ、図１Ｃを用いてゼロクロス検出回路３の構成と動作を説明する。商用交流電源１の電圧値が、フォトカプラ２１内のＬＥＤの順電圧よりも高い場合、ＬＥＤが点灯し、ゼロクロス検出信号ｚｒｏｘはＬレベル（=ほぼＧＮＤ電位）となる。一方、商用交流電源１の電圧値がフォトダイオードの順電圧よりも低い場合、ｚｒｏｘはＨレベル（=ほぼＶｓ電位）となる。従ってｚｒｏｘ信号は、図１Ｃに示すように商用交流電源の位相がほぼ０度でＨレベル、その他の領域でＬレベルのパルス信号となる。ｚｒｏｘ信号は、制御部８に供給される。
【００２２】
次に、制御部８が定着電源５を駆動する制御について詳細を説明する。
【００２３】
一般に、商用交流電源の位相が９０度や２７０度の時点でヒータ７に通電を開始すると、商用交流電源ラインの電流変化が大きくなり、商用交流電源電圧にサグが入る。これにより、同一の商用交流電源から電力の供給を受けている照明装置がチラつく等の不具合を生じる。この現象を『フリッカ』いう。
【００２４】
このフリッカを抑えるために、制御部８は、ｚｒｏｘ信号を受信したタイミングで定着電源５を駆動し、ヒータ７に通電を開始する。これにより、ヒータ７は商用交流電源の位相０度付近でＯＮされることとなるから、商用交流電源ラインの電流変化は比較的小さくなり、フリッカを抑制することができる。
【００２５】
上記の構成において、メインスイッチ２がＯＦＦされた場合の制御について、図２および図３を用いて説明する。レーザビームプリンタのメインスイッチ２がＯＦＦされた場合、制御部８は、メインスイッチがＯＦＦされたことを検出し、自身の電源電圧Ｖｓが低下する前に、その時点での装置の状態をＥＥＰＲＯＭ１０に書き込む必要がある。そこで、本実施形態では、以下のような処理を行なう。
【００２６】
メインスイッチ２がＯＦＦされると、ｚｒｏｘ信号がＨレベルに固定される。制御部８は、Ｈレベルが所定時間ｔ１以上継続した場合、メインスイッチがＯＦＦされたと判断して、装置の状態をＥＥＰＲＯＭ１０に書き込みはじめると同時に、ｖｐｏｆｆ信号をＨレベルとし、駆動部電源遮断装置２６が駆動部への電源供給を遮断する。これにより、駆動部で消費されていた電流は０となるから、低圧電源４内のコンデンサの放電電流が減少する。従って、図３に示す制御部の電源電圧Ｖｓが低下するまでの時間Δｔｏｆｆは、図１３のΔｔよりも長くなる。つまり、制御部８は、画像形成装置の電源スイッチがオフされたことを検出する電源オフ検出手段として機能するが、ゼロクロス検出回路３は、フリッカの抑止手段としてだけではなく、そのような電源オフの検出をするための検出信号出力手段としても機能する。
【００２７】
更に、その電源オフ検出手段としてのゼロクロス検出回路３からの検出信号に基づいて、レーザビームプリンタ内の特定個所としての駆動部９の駆動を停止する駆動停止手段として、本実施形態では駆動部電源遮断装置２６が機能する。
【００２８】
また、制御部８は、電源オフ検出手段としてのゼロクロス回路３からの検出信号に基づいて不揮発性記憶手段としてのＥＥＰＲＯＭ１０に装置の情報を書き込む書き込み手段として機能する。
【００２９】
以上により、制御部８や駆動部９の消費電流が大きいプリント時に、メインスイッチ２がＯＦＦされた場合でも、Δｔｏｆｆを長くすることができ、ＥＥＰＲＯＭ１０の書き込み時間を充分に稼ぐことができる。更に、ここではゼロクロス検出回路３からの出力信号を、電源オフの検出に用いたので、簡易な構成によって、上述の効果を得ることができる。
【００３０】
（第２実施形態）
本発明の第２実施形態は、ゼロクロス検出回路の検出結果に基づいて、メインスイッチがＯＦＦされたことを検知し、駆動部を停止する。つまり、第１実施形態のように駆動部に対する電源の供給を停止するのではなく、駆動部自体が停止するように制御する。これによって、不揮発性記憶手段およびその書き込み装置の電源電圧が低下するまでの時間を引き延ばすというものである。本実施形態によれば、第１実施形態で必要であった駆動部電源遮断装置２６が不要となる一方で、制御部が駆動部内部に信号を伝達できる構成となっている。その他の構成及び動作は第１実施形態と同様であるため、同じ構成については同じ符号を付してその説明を省略する。
【００３１】
図４は、本実施形態を適用したレーザビームプリンタの電源部を示す回路図である。制御部８からは、駆動部９に含まれるモータ２４及びモータ２５に対して直接信号線が延びている。
【００３２】
上記の構成において、メインスイッチ２がＯＦＦされた場合の制御について、図５を用いて説明する。
【００３３】
メインスイッチ２がＯＦＦされると、ｚｒｏｘ信号がＨレベルに固定される。制御部８は、Ｈレベルが所定時間ｔ１以上継続した場合、メインスイッチがＯＦＦされたと判断して、装置の状態をＥＥＰＲＯＭ１０に書き込みはじめると同時に、駆動部９に含まれるモータ２４およびモータ２５を停止する。これにより、駆動部で消費されていた電流は概略０となるから、低圧電源４内のコンデンサの放電電流が減少する。従って、駆動部の電源電圧は、ほぼ図３に示したグラフと同様の変化をする。つまり、制御部の電源電圧Ｖｓが低下するまでの時間Δｔｏｆｆは、図１３のΔｔよりも長くなる。すなわち、本実施形態では、駆動部９に含まれるモータ２４およびモータ２５を停止する制御部８が、レーザビームプリンタ内の特定個所としての駆動部９の駆動を停止する駆動停止手段及び、画像形成装置の特定個所の駆動を停止するため、前記画像形成装置の特定個所へ停止命令を出力する論理演算手段として機能する。
【００３４】
以上により、制御部８や駆動部９の消費電流が大きいプリント時に、メインスイッチ２がＯＦＦされた場合でも、Δｔｏｆｆを長くすることができ、ＥＥＰＲＯＭ１０の書き込み時間を充分に稼ぐことができる。
【００３５】
（第３実施形態）
本発明の第３実施形態は、制御部用の電源と駆動部用の電源が異なるコンバータから出力されている場合に、ゼロクロス検出回路の検出結果に基づいて、メインスイッチがＯＦＦされたことを検知し、駆動部用のコンバータを停止する。これによって、不揮発性記憶手段およびその書き込み装置の電源電圧が低下するまでの時間を引き延ばすというものである。本実施形態では、第１実施形態のような駆動部電源遮断装置を定圧電源内に組み込んだ構成となる。
【００３６】
図６は、本実施形態を適用したレーザビームプリンタの電源部を示す回路図である。図６に示すように、本実施形態では、第１実施形態から、駆動部電源遮断装置２６を無くし、より複雑な定圧電源３１を設けた構成となっている。その他の構成及び動作は第１実施形態と同様であるため、同じ構成については同じ符号を付してその説明を省略する。
【００３７】
図７はレーザビームプリンタの低圧電源３１の内部構成を示す回路図である。
【００３８】
商用交流電源１は、ダイオードブリッジ１２および一次平滑コンデンサ１３によって整流・平滑され、トランス１５およびトランス２８に供給される。
【００３９】
トランス１５に供給された電源はＦＥＴ１６に供給される。駆動回路１４はＦＥＴ１６を適宜スイッチングする。これにより、トランス１５の二次側にパルス電圧が誘起される。誘起されたパルス電圧は、二次整流ダイオード１７および二次平滑コンデンサ１８によって整流・平滑され、所定の電圧Ｖｐとなる。Ｖｐは駆動部９に供給される。
【００４０】
駆動回路１４には、制御部８より停止信号ｖｐｏｆｆが供給されている。ＶｐｏｆｆがＨレベルの場合、駆動回路１４はスイッチングを停止しＶｐを停止させる。一方、ＶｐｏｆｆがＬレベルの場合、駆動回路１４はスイッチングを行う。
【００４１】
トランス２８に供給された電源はＦＥＴ２７に供給される。駆動回路２９はＦＥＴ２７を適宜スイッチングする。これにより、トランス２８の二次側にパルス電圧が誘起される。誘起されたパルス電圧は、二次整流ダイオード３０および二次平滑コンデンサ２０によって整流・平滑され、所定の電圧Ｖｓとなる。Ｖｓは制御部８やＥＥＰＲＯＭ１０に供給される。
【００４２】
上記の構成において、メインスイッチ２がＯＦＦされた場合の制御について、図８を用いて説明する。
【００４３】
メインスイッチ２がＯＦＦされると、ｚｒｏｘ信号がＨレベルに固定される。制御部８は、Ｈレベルが所定時間以上継続した場合、メインスイッチがＯＦＦされたと判断して、装置の状態をＥＥＰＲＯＭ１０に書き込みはじめると同時に、ｖｐｏｆｆ信号をＨレベルとして、ＦＥＴ１６のスイッチングを止め、駆動部へ電源Ｖｐを停止する。これにより、駆動部で消費されていた電流は０となるから、低圧電源３１内のコンデンサの放電電流が減少する。従って、駆動部の電源電圧は、ほぼ図３に示したグラフと同様の変化をする。つまり、制御部の電源電圧Ｖｓが低下するまでの時間Δｔｏｆｆは、図１３のΔｔよりも長くなる。即ち、本実施形態では、駆動回路１４が、レーザビームプリンタ内の特定個所としての駆動部９の駆動を停止する駆動停止手段として機能する。
【００４４】
以上により、制御部８や駆動部９の消費電流が大きいプリント時に、メインスイッチ２がＯＦＦされた場合でも、Δｔｏｆｆを長くすることができ、ＥＥＰＲＯＭ１０の書き込み時間を充分に稼ぐことができる。
【００４５】
（第４実施形態）
本発明の第４実施形態は、着脱交換可能な消耗品ユニット内に不揮発性記憶手段が配置された場合に、本発明を適用した例である。具体的には、ユーザ交換可能なトナーカートリッジユニット内に、不揮発性メモリが搭載されたレーザビームプリンタに、本発明を適用した例である。
【００４６】
図９は、本実施形態を適用したレーザビームプリンタの全体構成である。また、図１０はレーザビームプリンタの電気回路構成である。
【００４７】
図９のレーザビームプリンタは、スキャナ４２、感光体４６、帯電器４７、現像器４８、転写器４５、定着装置６、及び給紙トレイ４４等を備えている。
【００４８】
外部から画像信号が供給されると、スキャナ４２は感光体４６上に画像光を照射し、静電潜像を形成する。この静電潜像は現像器４８内のトナー４９によって可視画像化され、転写器４５によって転写材へ転写された後、定着装置６によって定着される。その後、転写材は排紙部に排出される。
【００４９】
感光体４６、帯電器４７、現像器４８、トナー４９は、着脱可能なトナーカートリッジユニット４１として一つの容器内に納められている。さらにトナーカートリッジユニット４１には、不揮発性メモリであるカートリッジメモリ４０が納められている。ユーザは、ドア４３を開け、トナーカートリッジユニット４１を交換することができる。カートリッジメモリ４０は、図１０に示すようにプリンタの制御部８に接続されている。制御部８は、トナーカートリッジ４１に関する情報を逐次カートリッジメモリ４０に書き込んでいる。即ち、本実施形態では、着脱交換可能な消耗品ユニットとしてトナーカートリッジユニット４１を備えている。そして不揮発性記憶手段としてのカートリッジメモリ４０が、消耗品ユニットとしてのトナーカートリッジユニット４１内に設けられている。
【００５０】
なお、着脱可能な消耗品ユニットとして、トナーカートリッジユニット４１を示したが、本発明はこれに限定されるものではなく、画像形成装置の現像剤を格納する現像剤容器や、感光体や、あるいは定着装置のうち少なくとも一つを備えたユニットであればよい。  上記の構成において、メインスイッチ２がＯＦＦされた場合の制御について説明する。メインスイッチ２がＯＦＦされると、ｚｒｏｘ信号がＨレベルに固定される。制御部８は、Ｈレベルが所定時間以上継続した場合、メインスイッチがＯＦＦされたと判断して、装置の状態をカートリッジメモリ４０に書き込みはじめると同時に、ｖｐｏｆｆ信号をＨレベルとし、駆動部への電源供給を遮断する。これにより、駆動部で消費されていた電流は０となるから、低圧電源４内のコンデンサの放電電流が減少する。従って、駆動部の電源電圧は、図３に示したように変化する。つまり、制御部の電源電圧Ｖｓが低下するまでの時間Δｔｏｆｆは、図１３のΔｔよりも長くなる。
【００５１】
以上により、制御部８や駆動部９の消費電流が大きいプリント時に、メインスイッチ２がＯＦＦされた場合でも、Δｔｏｆｆを長くすることができ、カートリッジメモリ４０の書き込み時間を充分に稼ぐことができる。
【００５２】
なお、本実施形態で説明したトナーカートリッジ４１としては、上述したトナーカートリッジの構成に限らず、例えば感光体４６のみを格納したユニットであってもよい。また、定着装置６を格納した定着ユニット等、画像形成装置の消耗品を格納したユニットであれば、本発明を適用可能であり、これらを発明の範囲から除外するものではない。
【００５３】
（他の実施形態）
上記第１〜第３実施形態で説明したＥＥＰＲＯＭ１０は、画像形成装置の消耗品に配置される不揮発性メモリ、例えばトナーカートリッジに配置される不揮発性メモリ等でもよい。また、本実施形態で説明した回路構成は、適宜変更が可能であり、本発明の範囲を限定するものではない。
【００５４】
また、上記第１〜第４実施形態では、それぞれ、異なる方法で、メインスイッチのオフから制御部の電圧低下までの時間Δｔｏｆｆを長くしたが、これらを自由に組み合わせることも可能である。第１、第２の実施形態を組み合わせたり、第２、第３の実施形態を組み合わせたりすることも可能である。
【００５５】
以上、本発明の実施形態について詳述したが、本発明は、複数の機器から構成されるシステムに適用しても良いし、また、一つの機器からなる装置に適用しても良い。
【００５６】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００５７】
その場合、プログラムの機能を有していれば、オブジェクトコード、インタプリタにより実行されるプログラム、ＯＳに供給するスクリプトデータ等、プログラムの形態を問わない。
【００５８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５９】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００６３】
【図１Ａ】本発明の第１実施形態としてのレーザビームプリンタの電源部の回路構成を説明する図である。
【図１Ｂ】本発明の第１実施形態としてのレーザビームプリンタのゼロクロス検知回路を説明する図である。
【図１Ｃ】本発明の第１実施形態としてのレーザビームプリンタのゼロクロス検知回路の動作を説明する図である。
【図２】本発明の第１実施形態としてのレーザビームプリンタのゼロクロス検知回路及び制御部の電源スイッチオフ時の動作を説明する図である。
【図３】本発明の第１実施形態としてのレーザビームプリンタの駆動部及び制御部の電源スイッチオフ時の電源電圧の変化を示す図である。
【図４】本発明の第２実施形態としてのレーザビームプリンタの電源部の回路構成を説明する図である。
【図５】本発明の第２実施形態としてのレーザビームプリンタのゼロクロス検知回路及び制御部の電源スイッチオフ時の動作を説明する図である。
【図６】本発明の第３実施形態としてのレーザビームプリンタの電源部の回路構成を説明する図である。
【図７】本発明の第３実施形態としてのレーザビームプリンタの低圧電源回路を示す図である。
【図８】本発明の第３実施形態としてのレーザビームプリンタのゼロクロス検知回路及び制御部の電源スイッチオフ時の動作を説明する図である。
【図９】本発明の第４実施形態としてのレーザビームプリンタの全体構成を説明する図である。
【図１０】本発明の第４実施形態としてのレーザビームプリンタの電源部の回路構成を説明する図である。
【図１１】従来のレーザビームプリンタの電源部の回路構成を説明する図である。
【図１２】従来のレーザビームプリンタの低圧電源回路を示す図である。
【図１３】従来のレーザビームプリンタの駆動部及び制御部の電源スイッチオフ時の電源電圧の変化を示す図である。
【図１Ａ】
2006178215.tif 000003
【図１Ｂ】
2006178215.tif 000004
【図１Ｃ】
2006178215.tif 000005
【図２】
2006178215.tif 000006
【図３】
2006178215.tif 000007
【図４】
2006178215.tif 000008
【図５】
2006178215.tif 000009
【図６】
2006178215.tif 000010
【図７】
2006178215.tif 000011
【図８】
2006178215.tif 000012
【図９】
2006178215.tif 000013
【図１０】
2006178215.tif 000014
【図１１】
2006178215.tif 000015
【図１２】
2006178215.tif 000016
【図１３】
2006178215.tif 000017